(57)【特許請求の範囲】
【請求項１】
複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、中央制御装置は、固定無線基地局において所定のデータが受信されたことを認識した際に、所定のデータを送信した無線携帯端末を一斉通信用通話チャネルに接続し、この無線携帯端末から送信されるデータや音声を一斉通信用通話チャネルを通して一斉通信し、無線携帯端末は、固定無線基地局を介して中央制御装置に特定のデータを送信することにより一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成ることを特徴とするディジタル無線通信システム。
【請求項２】
複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、中央制御装置は、固定無線基地局において所定のデータが受信されたことを認識した際に、所定のデータを送信した無線携帯端末を一斉通信用通話チャネルに接続し、この無線携帯端末から送信されるデータや音声を一斉通信用通話チャネルを通して一斉通信し、一斉通信を行う固定無線基地局を特定する一斉通信用ＣＳＩＤ及び一斉通信用通話チャネルが予め無線携帯端末に設定され、無線携帯端末が固定無線基地局から少なくとも一斉通信用ＣＳＩＤを含む信号を受信したときに一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成ることを特徴とするディジタル無線通信システム。
【請求項３】
複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、中央制御装置は、固定無線基地局において所定のデータが受信されたことを認識した際に、所定のデータを送信した無線携帯端末を一斉通信用通話チャネルに接続し、この無線携帯端末から送信されるデータや音声を一斉通信用通話チャネルを通して一斉通信し、中央制御装置から固定無線基地局を介して常に着信メッセージを報知しておき、この着信メッセージを受信した無線携帯端末が一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成ることを特徴とするディジタル無線通信システム。
【請求項４】
複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、予め定められる一斉通信用通話チャネルに常時アナウンスを繰り返し流し、無線携帯端末は、固定無線基地局を介して中央制御装置に特定のデータを送信することにより一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成ることを特徴とするディジタル無線通信システム。
【請求項５】
複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、予め定められる一斉通信用通話チャネルに常時アナウンスを繰り返し流し、一斉通信を行う固定無線基地局を特定する一斉通信用ＣＳＩＤ及び一斉通信用通話チャネルが予め無線携帯端末に設定され、無線携帯端末が固定無線基地局から少なくとも一斉通信用ＣＳＩＤを含む信号を受信したときに一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成ることを特徴とするディジタル無線通信システム。
【請求項６】
複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、予め定められる一斉通信用通話チャネルに常時アナウンスを繰り返し流し、中央制御装置から固定無線基地局を介して常に着信メッセージを報知しておき、この着信メッセージを受信した無線携帯端末が一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成ることを特徴とするディジタル無線通信システム。
【発明の詳細な説明】
【０００１】
【発明の属する技術分野】
本発明は、複数の無線携帯端末、固定無線基地局並びに中央制御装置を備えたディジタル無線通信システムに関するものである。
【０００２】
【従来の技術】
従来より、集合住宅、病院、テーマパーク、シルバーマンションあるいは美術館等に設置して運用するための、簡易型携帯電話（ＰＨＳ）のような自営用無線電話などを備えるディジタル無線通信システムが提案されている。図１９は従来システムの一構成例を示しており、簡易型携帯電話のような無線携帯端末２０1’…とディジタル無線通信を行う複数の固定無線基地局１０1 ’…が有線で中央制御装置１’に接続されている。
【０００３】
上記のような簡易型携帯電話の無線回線は、基本的には制御用チャネルが１つと、情報用チャネルが３つとから構成されている。而して、各固定無線基地局１０1 ’…のサービスエリア内に存在する複数の無線携帯端末２０1 ’…は、１つの制御用チャネルを共用するのであるが、情報用チャネルについては、図２０のシーケンスチャートに示すように固定無線基地局１０1 ’…と無線携帯端末２０1 ’…との間の通信毎に、認可されている電波資源の中から電波状況に応じた個別のチャネルを割り当てるのが通常である。
【０００４】
【発明が解決しようとする課題】
しかしながら、上記従来システムでは、ある１つのメッセージを複数の無線携帯端末２０1 ’…に対して同報するような場合においても、各無線携帯端末２０1 ’…に複数の情報用チャネルｃｈ1 …をそれぞれ割り当てる必要があるため、電波資源を最大限に活用できていなかった。特に、１つの固定無線基地局１０1’…のサービスエリア内で情報用チャネル数以上の無線携帯端末２０1 ’…に対して同報通信（一斉通信）を行うことができないという問題や、一斉通信の場合にも、固定無線基地局１０1 ’…と各無線携帯端末２０1 ’…との間の通信毎に、それぞれ独立した個別のチャネルを割り当てるためのシーケンスを起動する必要があり、処理が複雑になるという問題があった。
【０００５】
本発明は上記問題点の解決を目的とするものであり、電波資源を最大限に活用した上で複数の無線携帯端末に対して音声やデータ等の一斉通信を容易に可能とするディジタル無線通信システムを提供しようとするものである。
【０００６】
【課題を解決するための手段】
請求項１の発明は、上記目的を達成するために、複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、中央制御装置は、固定無線基地局において所定のデータが受信されたことを認識した際に、所定のデータを送信した無線携帯端末を一斉通信用通話チャネルに接続し、この無線携帯端末から送信されるデータや音声を一斉通信用通話チャネルを通して一斉通信し、無線携帯端末は、固定無線基地局を介して中央制御装置に特定のデータを送信することにより一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成ることを特徴とし、１つの一斉通信用通話チャネルを通して一斉通信を行うことで、電波資源を最大限に活用した上で複数の無線携帯端末に対して音声やデータ等の一斉通信が容易に可能となり、特に一つの固定無線基地局が有する通話チャネル数以上の無線携帯端末に対しても一斉通信が可能である。また、複数の無線携帯端末の何れもが一斉通信の発信元（音声源）となり得るから、例えば、災害時等に複数の無線携帯端末に対する音声やデータ等の一斉通信が可能となる。さらに、無線携帯端末を携帯する人の意志で、音声やデータ等の一斉通信を受けることができる。しかも、各無線携帯端末が通常の通話チャネル確立シーケンスと全く同じ手順で一斉通信用通話チャネルを獲得できるため、特殊性のない一般的なシーケンスを用いて容易に音声やデータ等の一斉通信が可能となる。
【０００７】
請求項２の発明は、上記目的を達成するために、複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、中央制御装置は、固定無線基地局において所定のデータが受信されたことを認識した際に、所定のデータを送信した無線携帯端末を一斉通信用通話チャネルに接続し、この無線携帯端末から送信されるデータや音声を一斉通信用通話チャネルを通して一斉通信し、一斉通信を行う固定無線基地局を特定する一斉通信用ＣＳＩＤ及び一斉通信用通話チャネルが予め無線携帯端末に設定され、無線携帯端末が固定無線基地局から少なくとも一斉通信用ＣＳＩＤを含む信号を受信したときに一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成ることを特徴とし、１つの一斉通信用通話チャネルを通して一斉通信を行うことで、電波資源を最大限に活用した上で複数の無線携帯端末に対して音声やデータ等の一斉通信が容易に可能となり、特に一つの固定無線基地局が有する通話チャネル数以上の無線携帯端末に対しても一斉通信が可能である。また、複数の無線携帯端末の何れもが一斉通信の発信元（音声源）となり得るから、例えば、災害時等に複数の無線携帯端末に対する音声やデータ等の一斉通信が可能となる。さらに、無線携帯端末を携帯する人が一斉通信を行う固定無線基地局のサービスエリア内に入ったら、自動的に音声メッセージやガイダンス等の一斉通信を受信することができる。しかも、各無線携帯端末が通常の通話チャネル確立シーケンスと全く同じ手順で一斉通信用通話チャネルを獲得できるため、特殊性のない一般的なシーケンスを用いて容易に音声やデータ等の一斉通信が可能となる。
【０００８】
請求項３の発明は、上記目的を達成するために、複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、中央制御装置は、固定無線基地局において所定のデータが受信されたことを認識した際に、所定のデータを送信した無線携帯端末を一斉通信用通話チャネルに接続し、この無線携帯端末から送信されるデータや音声を一斉通信用通話チャネルを通して一斉通信し、中央制御装置から固定無線基地局を介して常に着信メッセージを報知しておき、この着信メッセージを受信した無線携帯端末が一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成ることを特徴とし、１つの一斉通信用通話チャネルを通して一斉通信を行うことで、電波資源を最大限に活用した上で複数の無線携帯端末に対して音声やデータ等の一斉通信が容易に可能となり、特に一つの固定無線基地局が有する通話チャネル数以上の無線携帯端末に対しても一斉通信が可能である。また、複数の無線携帯端末の何れもが一斉通信の発信元（音声源）となり得るから、例えば、災害時等に複数の無線携帯端末に対する音声やデータ等の一斉通信が可能となる。さらに、無線携帯端末を携帯する人が一斉通信を行う固定無線基地局のサービスエリア内に入ったら、自動的に音声メッセージやガイダンス等の一斉通信を受信することができる。しかも、各無線携帯端末が通常の通話チャネル確立シーケンスと全く同じ手順で一斉通信用通話チャネルを獲得できるため、特殊性のない一般的なシーケンスを用いて容易に音声やデータ等の一斉通信が可能となる。
【０００９】
請求項４の発明は、上記目的を達成するために、複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、予め定められる一斉通信用通話チャネルに常時アナウンスを繰り返し流し、無線携帯端末は、固定無線基地局を介して中央制御装置に特定のデータを送信することにより一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成ることを特徴とし、１つの一斉通信用通話チャネルを通して一斉通信を行うことで、電波資源を最大限に活用した上で複数の無線携帯端末に対して音声やデータ等の一斉通信が容易に可能となり、特に一つの固定無線基地局が有する通話チャネル数以上の無線携帯端末に対しても一斉通信が可能である。また、例えば、中央制御装置が保持する音声やデータ等をアナウンスとして流すことにより、中央制御装置を一斉通信の発信元（音声源）とすることができ、音声メッセージやガイダンス等を複数の無線携帯端末に一斉に伝えることができる。さらに、無線携帯端末を携帯する人の意志で、音声やデータ等の一斉通信を受けることができる。しかも、各無線携帯端末が通常の通話チャネル確立シーケンスと全く同じ手順で一斉通信用通話チャネルを獲得できるため、特殊性のない一般的なシーケンスを用いて容易に音声やデータ等の一斉通信が可能となる。
請求項５の発明は、上記目的を達成するために、複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、予め定められる一斉通信用通話チャネルに常時アナウンスを繰り返し流し、一斉通信を行う固定無線基地局を特定する一斉通信用ＣＳＩＤ及び一斉通信用通話チャネルが予め無線携帯端末に設定され、無線携帯端末が固定無線基地局から少なくとも一斉通信用ＣＳＩＤを含む信号を受信したときに一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成ることを特徴とし、１つの一斉通信用通話チャネルを通して一斉通信を行うことで、電波資源を最大限に活用した上で複数の無線携帯端末に対して音声やデータ等の一斉通信が容易に可能となり、特に一つの固定無線基地局が有する通話チャネル数以上の無線携帯端末に対しても一斉通信が可能である。また、例えば、中央制御装置が保持する音声やデータ等をアナウンスとして流すことにより、中央制御装置を一斉通信の発信元（音声源）とすることができ、音声メッセージやガイダンス等を複数の無線携帯端末に一斉に伝えることができる。さらに、無線携帯端末を携帯する人が一斉通信を行う固定無線基地局のサービスエリア内に入ったら、自動的に音声メッセージやガイダンス等の一斉通信を受信することができる。しかも、各無線携帯端末が通常の通話チャネル確立シーケンスと全く同じ手順で一斉通信用通話チャネルを獲得できるため、特殊性のない一般的なシーケンスを用いて容易に音声やデータ等の一斉通信が可能となる。
【００１０】
請求項６の発明は、上記目的を達成するために、複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、予め定められる一斉通信用通話チャネルに常時アナウンスを繰り返し流し、中央制御装置から固定無線基地局を介して常に着信メッセージを報知しておき、この着信メッセージを受信した無線携帯端末が一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成ることを特徴とし、１つの一斉通信用通話チャネルを通して一斉通信を行うことで、電波資源を最大限に活用した上で複数の無線携帯端末に対して音声やデータ等の一斉通信が容易に可能となり、特に一つの固定無線基地局が有する通話チャネル数以上の無線携帯端末に対しても一斉通信が可能である。また、例えば、中央制御装置が保持する音声やデータ等をアナウンスとして流すことにより、中央制御装置を一斉通信の発信元（音声源）とすることができ、音声メッセージやガイダンス等を複数の無線携帯端末に一斉に伝えることができる。さらに、無線携帯端末を携帯する人が一斉通信を行う固定無線基地局のサービスエリア内に入ったら、自動的に音声メッセージやガイダンス等の一斉通信を受信することができる。しかも、各無線携帯端末が通常の通話チャネル確立シーケンスと全く同じ手順で一斉通信用通話チャネルを獲得できるため、特殊性のない一般的なシーケンスを用いて容易に音声やデータ等の一斉通信が可能となる。
【００１１】
【発明の実施の形態】
以下、本発明の実施形態を図面を参照して詳細に説明する。ここで、個々の実施形態を説明する前に、各実施形態に共通するディジタル無線通信システムのシステム構成を図２のシステム構成図に基づいて説明する。このディジタル無線通信システムは、複数の通話チャネルを有し適所に配置される複数の固定無線基地局１０1 …と、通話チャネルに接続されて固定無線基地局１０1 …との間で無線通信を行う複数の無線携帯端末２０1 …と、少なくとも各固定無線基地局１０1 …を介して各無線携帯端末２０1 …に対するデータや音声の送受信制御を行う中央制御装置１とを備え、例えばツイストペアケーブル等の通信線ＬT によって中央制御装置１が電話回線等に接続される。なお、このシステムは、集合住宅、病院、テーマパーク、シルバーマンションあるいは美術館等に設置して運用される。
【００１２】
固定無線基地局１０1 …は、有線通信制御部１１、無線通信制御部１２、無線回路部１３、基地局制御部１４並びに記憶部１５を備え、例えば、ビルの天井や壁などに設置される。有線通信制御部１１は、中央制御装置１との間で通信線ＬS を介して音声信号や制御信号等のデータ通信処理を行う。無線通信制御部１２は、例えばＴＤＭＡ／ＴＤＤ方式により無線回線における通信制御を行なう。また、無線回路部１３は、音声信号や制御信号等の信号を電波信号に変換するとともに、アンテナ１６を介して無線携帯端末２０1 …との間でディジタル無線通信を行う。さらに、マイクロコンピュータを主構成要素とする基地局制御部１４は、上記各部を含めて固定無線基地局１０1 …の全体を統制する。そして、記憶部１５は、例えば基地局制御部１４で実行される制御プログラム等が記憶されるＲＯＭ、システムの動作状態を記憶するＲＡＭ、各固定無線基地局１０1 …を識別する識別符号（ＣＳＩＤ）等を記憶するＥＥＰＲＯＭを具備して構成される。
【００１３】
一方、中央制御装置１は、交換部２、有線通信制御部３、制御部４並びに記憶部５を具備して、ビルの管理室等に設置される。有線通信制御部３は、ＰＳＴＮ回線やＩ’回線あるいはＩＳＤＮ回線のような電話回線を終端し、本システムと外部の他のシステム等の間で上記電話回線を介して音声信号や制御信号等のデータ通信処理を行う。また、交換部２は、制御部４によって制御されて複数の固定無線基地局１０1 …が接続された通話経路（通信線ＬS ）の選択並びに切り換えを行う。さらに、マイクロコンピュータを主構成要素とする制御部４は、上記各部を含めて中央制御装置１全体を統制する。そして、記憶部５は、例えば制御部４で実行される制御プログラム等が記憶されるＲＯＭ並びにシステムの動作状態を記憶するＲＡＭを具備して構成される。
【００１４】
無線携帯端末２０1 …は、人が屋外若しくは屋内において携帯し得るものであり、例えば簡易型携帯電話（ＰＨＳ）に対応した電話機端末やデータ端末等であって、通話回路部２１、送受話器２２、無線通信制御部２３、無線回路部２４、端末制御部２５、記憶部２６、入力部２７、表示部２８並びにアンテナ２９を備える。
【００１５】
無線回路部２４は、音声信号や制御信号等の信号を電波信号に変換するとともに、アンテナ１６を介して固定無線基地局１０1 …あるいは他の無線携帯端末２０1 …との間でディジタル無線通信を行う。無線通信制御部２３は、例えばＴＤＭＡ／ＴＤＤ方式により無線回線における通信制御を行う。送受話器２２は音声信号と電気的信号の相互変換を行ない、通話回路部２１はＰＣＭやＡＤＰＣＭのような音声符号化／復号化処理、エコーキャンセル処理並びに回線交換処理等を行う。また、マイクロコンピュータを主構成要素とする端末制御部２５は、上記各部を含めて無線携帯端末２０1 …の全体を統制する。そして、記憶部２６は、例えば端末制御部２５で実行される制御プログラム等が記憶されるＲＯＭ、システムの動作状態を記憶するＲＡＭ、各無線携帯端末２０1 …を識別する識別符号（ＰＳＩＤ）等を記憶するＥＥＰＲＯＭを具備して構成される。さらに、入力部２７はシステム全体の動作モードの切り換えや外部機器からの信号入力等を行ない、表示部２８はシステム全体の動作モードの表示や外部機器への信号出力等を行う。
【００１６】
ここで、本実施形態における無線携帯端末２０1 …は、簡易型携帯電話（ＰＨＳ）に対応しているため、公衆通信サービスを受けるためのＩＤ（識別符号）を有し、公衆無線基地局（図示せず）との間で通信を行うことができる（この動作モードを「公衆モード」と呼ぶ。）とともに、事務所内や家庭内等における自営通信サービスを受けるためのＩＤ（識別符号）も有しており、自営無線基地局（本実施形態における固定無線基地局１０1 …等）が存在する場合においては、自営無線基地局との間で通信を行うことができ（この動作モードを「自営モード」と呼ぶ。）、さらに、同一の自営無線基地局のＩＤが登録されている場合においては、２つの無線携帯端末２０1 …間での通信を行うことができる（この動作モードを「トランシーバ・モード」と呼ぶ。）。なお、これらの各動作モードは、使用目的に応じて個々の無線携帯端末２０1 …において釦操作等により個別に選択して切り換えることができ、あるいは無線回線の状況（制御チャネルをモニタすることで判断される。）に対応して自動的に切り換えることもできるようになっている。
【００１７】
次に、上記システム構成を有する本発明の基本例について個々に説明する。
（基本例１）
図１及び図３は、それぞれ本基本例における一斉通信の動作概念図並びに動作シーケンス図である。本基本例においては、複数の無線携帯端末２０1 …に対して一斉に行われる同一内容の通信（一斉通信）の要求が生じた場合に、中央制御装置１が固定無線基地局１０1 …を介して１つの通話チャネル（これを「一斉通信用通話チャネルｃｈ０」と呼ぶ。）に複数の無線携帯端末２０1 …を接続させる。
【００１８】
一方、一斉通信用通話チャネルｃｈ０に接続された無線携帯端末２０1 …は、中央制御装置１から固定無線基地局１０1 …を介し、一斉通信用通話チャネルｃｈ０を通して送信される同一内容のデータや音声などを受信する。すなわち、従来システムでは一斉通信の際に各無線携帯端末２０1 …に個別に通話チャネルを割り当てる必要があったが、本基本例においては、たった１つの一斉通信用通話チャネルｃｈ０に複数の無線携帯端末２０1 …を接続すればよく、複数の通話チャネルを一斉通信のために占領せずに済み、電波資源を最大限に活用した上で複数の無線携帯端末２０1 …に対して音声やデータ等の一斉通信を行うことができる。特に、１つの固定無線基地局１０1 …のサービスエリア内で情報用チャネル数以上の無線携帯端末２０1 …が存在する場合においても、一斉通信用通話チャネルｃｈ０を通して一斉通信を行うことができるという利点がある。
【００１９】
（基本例２）
図４及び図５は、それぞれ本基本例における一斉通信の動作概念図並びに動作シーケンス図である。本基本例では、中央制御装置１が何れかの固定無線基地局１０1 …において所定のデータ（特定の番号）が受信されたことを認識した際に、所定のデータを送信（以下、この動作を「特番発呼」と呼ぶ。）した無線携帯端末２０1 を一斉通信用通話チャネルｃｈ０に接続し、この無線携帯端末２０1 から送信されるデータや音声を一斉通信用通話チャネルｃｈ０を通して他の複数の無線携帯端末２０2 …に一斉通信する。
【００２０】
例えば、図４において無線携帯端末２０1 が特番発呼動作を行ったとすると、図５に示すように固定無線基地局１０1 を介して中央制御装置１により空き通話チャネルｃｈが割り当てられ、無線携帯端末２０1 が通話チャネルｃｈを獲得する。そして、図５に示すような所定のシーケンスに従って通話路接続処理が行われ、中央制御装置１において無線携帯端末２０1 からの特番発呼が認識される。
【００２１】
特番発呼を認識した中央制御装置１は、特番発呼をした無線携帯端末２０1 以外の他の無線携帯端末２０2 …を一斉通信用通話チャネルｃｈ０に接続させ、通話チャネルｃｈを通して無線携帯端末２０1 から送信されてくる内容（音声やデータ等）を一斉通信用通話チャネルｃｈ０を通して他の無線携帯端末２０2 …に一斉に送信する。
【００２２】
上述のように本基本例によれば、特番発呼をした任意の無線携帯端末（上記の場合は無線携帯端末２０1 ）からの音声やデータ等を一斉通信用通話チャネルｃｈ０に流す音声源とすることができるので、災害時等に複数の無線携帯端末２０1 …に対する音声やデータ等の一斉通信が可能となる。
（基本例３）
図６及び図７は、それぞれ本基本例における一斉通信の動作概念図並びに動作シーケンス図である。
【００２３】
本基本例では、中央制御装置１が固定無線基地局１０1 …を介し、一斉通信用通話チャネルｃｈ０を通して常時アナウンスを繰り返し流すとともに、必要に応じて複数の無線携帯端末２０1 …を一斉通信用通話チャネルｃｈ０に接続させる。上記アナウンスは音声メッセージやガイダンス等の音声やデータ等であって、中央制御装置１が具備する音声源６より発せられる。
【００２４】
複数の無線携帯端末２０1 …は、自らあるいは中央制御装置１により、一斉通信用通話チャネルｃｈ０を獲得し、通話確立シーケンスに従って通話路接続処理が行われる。その結果、一斉通信用通話チャネルｃｈ０に常時流されているアナウンスを各無線携帯端末２０1 …で受信することができる。本基本例によれば、中央制御装置１が保持する音声やデータ等を固定無線基地局１０1 …を介して一斉通信用通話チャネルｃｈ０に常時アナウンスとして流すことにより、中央制御装置１を一斉通信の音声源とすることができ、音声メッセージやガイダンス等を複数の無線携帯端末に一斉に伝えることができる。
【００２５】
（基本例４）
図８及び図９は、それぞれ本基本例における一斉通信の動作概念図並びに動作シーケンス図である。例えば無線携帯端末２０1 が固定無線基地局１０1 を介して中央制御装置１に特定のデータを送信（特番発呼）した場合に、中央制御装置１が一斉通信用通話チャネルｃｈ０を上記特番発呼をした無線携帯端末２０1 に割り当てる。無線携帯端末２０1 では、一斉通信用通話チャネルｃｈ０を獲得し、通話路接続処理によって通話路が確立される。そして、中央制御装置１から固定無線基地局１０1を介し、一斉通信用通話チャネルｃｈ０を通して音声やデータ等の一斉通信が行われる。
【００２６】
上述のように本基本例によれば、無線携帯端末２０1 …から特番発呼を行った場合に一斉通信用通話チャネルｃｈ０に接続されるから、無線携帯端末２０1…を携帯する人の意志で、音声メッセージあるいはガイダンスやデータ等の一斉通信を受信することができる。
（基本例５）
図１０は本基本例における一斉通信の動作概念図、図１１及び図１２はその動作シーケンス図である。以下、図１０〜図１２を参照して本基本例の一斉通信動作を説明する。
【００２７】
図１１に示すように中央制御装置１は、固定無線基地局１０1 を介し一斉通信用通話チャネルｃｈ０を通して複数の無線携帯端末２０2 …に一斉通信を行っている際に、固定無線基地局１０1 に対して予め定めた一斉通信用ＣＳＩＤの送信要求を行っている。これによって固定無線基地局１０1 からは一斉通信用ＣＳＩＤがサービスエリア内に常時送信されている。いま、図１０R>０（ａ）に示すように固定無線基地局１０1 のサービスエリア内に別の無線携帯端末２０1 が入ってきたと仮定する。この無線携帯端末２０1 には、予め一斉通信用ＣＳＩＤと一斉通信用通話ｃｈ０とが設定されており、固定無線基地局１０1 のサービスエリア内に入ると固定無線基地局１０1 から送信されている一斉通信用ＣＳＩＤを受信する。
【００２８】
無線携帯端末２０1 は受信した一斉通信用ＣＳＩＤを認識すると、固定無線基地局１０1 に対してリンクチャネルの確立要求を行う。これにより、中央制御装置１が一斉通信用通話チャネルｃｈ０を固定無線基地局１０1 を介して無線携帯端末２０1 に割り当てる。一斉通信用通話チャネルｃｈ０を獲得した無線携帯端末２０1 は、通話路接続処理を行って通話路を確立する。その結果、無線携帯端末２０1 において図１０（ｂ）に示すように、固定無線基地局１０1 を介し、一斉通信用通話チャネルｃｈ０を通して中央制御装置１から送信されている音声メッセージやガイダンスあるいはデータ等の一斉通信が受信される。なお、一斉通信を受信した後、無線携帯端末２０1 と固定無線基地局１０1 の間で図１２に示すような無線携帯端末２０1 の位置登録シーケンスが実行されるが、このシーケンスは従来周知のものであるから詳しい説明は省略する。
【００２９】
上述のように本基本例によれば、一斉通信を行う固定無線基地局１０1 …を特定する一斉通信用ＣＳＩＤ及び一斉通信用通話チャネルｃｈ０を予め無線携帯端末２０2 …に設定し、無線携帯端末２０1 …が固定無線基地局１０1 …から少なくとも一斉通信用ＣＳＩＤを含む信号を受信したときに一斉通信用通話チャネルｃｈ０を獲得するため、無線携帯端末２０1 …を携帯する人が一斉通信を行う固定無線基地局１０1 のサービスエリア内に入ったら、自動的に音声メッセージやガイダンス等の一斉通信を受信することができる。
【００３０】
（基本例６）
図１３及び図１４は、それぞれ本基本例における一斉通信の動作概念図並びに動作シーケンス図である。図１３（ａ）並びに図１４に示すように、中央制御装置１は、固定無線基地局１０1 を介し一斉通信用通話チャネルｃｈ０を通して複数の無線携帯端末２０2…に一斉通信を行っている際に、固定無線基地局１０1 に対して着信（着呼）メッセージの報知要求を行っている。これによって固定無線基地局１０1 からは着信（着呼）メッセージがサービスエリア内に常時送信されている。いま、図１３（ｂ）に示すように固定無線基地局１０1 のサービスエリア内に別の無線携帯端末２０1 が入ってきたと仮定する。固定無線基地局１０1 …のサービスエリア内に入った無線携帯端末２０1 …が上記着信メッセージを受信すると自動的にオフフックがされ、固定無線基地局１０1 との間で一斉通信用通話チャネルｃｈ０による通話路が確立されて中央制御装置１からの一斉通信を受信することができる。
【００３１】
上述のように本基本例によれば、中央制御装置１から固定無線基地局１０1…を介して常に着信メッセージを報知しておき、この着信メッセージを受信した無線携帯端末２０1 …が一斉通信用通話チャネルｃｈ０を獲得するから、無線携帯端末２０1 …を携帯する人が一斉通信を行う固定無線基地局１０1 …のサービスエリア内に入ったら、自動的に音声メッセージやガイダンス等の一斉通信を受信することができる。
【００３２】
（基本例７）
図１５及び図１６は、それぞれ本基本例における一斉通信の動作概念図並びに動作シーケンス図である。図１５（ａ）並びに図１６に示すように、中央制御装置１は、固定無線基地局１０1 を介し一斉通信用通話チャネルｃｈ０を通して複数の無線携帯端末２０2…に一斉通信を行っている際に、固定無線基地局１０1 に対して着信（着呼）メッセージの報知要求を行っている。これによって固定無線基地局１０1 からは着信（着呼）メッセージがサービスエリア内に常時送信されている。いま、図１５（ｂ）に示すように固定無線基地局１０1 のサービスエリア内に別の無線携帯端末２０1 が入ってきたと仮定する。固定無線基地局１０1 …のサービスエリア内に入った無線携帯端末２０1 …が上記着信メッセージを受信すると自動的にオフフックがされるとともに通常の通話チャネル確立シーケンスが起動される。
【００３３】
以降、通常の通話チャネル確立シーケンスに従った処理が実行される。すなわち、無線携帯端末２０1 は固定無線基地局１０1 に対してリンクチャネルの確立要求を行い、中央制御装置１から割り当てられた一斉通信用通話チャネルｃｈ０を獲得し、一斉通信用通話チャネルｃｈ０に接続される。ここで、中央制御装置１は、固定無線基地局１０1 を介して無線携帯端末２０1 が一斉通信用通話チャネルｃｈ０に接続されたことを認識する。
【００３４】
そして、図１５（ｂ）に示すように、無線携帯端末２０1 において固定無線基地局１０1 を介し、一斉通信用通話チャネルｃｈ０を通して中央制御装置１から送信されている音声メッセージやガイダンスあるいはデータ等の一斉通信が受信される。上述のように本実形態によれば、無線携帯端末２０1 …が固定無線基地局１０1 …との間で通常の通話チャネル確立シーケンスを起動し、この確立シーケンスによって一斉通信用通話チャネルｃｈ０に接続されるので、中央制御装置１で何れの無線携帯端末２０1 …が一斉通信用通話チャネルｃｈ０を獲得したのかを把握することができ、音声メッセージやガイダンス等を何れの無線携帯端末２０1…に伝えたか、また何れの無線携帯端末２０1 …には伝えていないかを把握することができる。
【００３５】
（実施形態）
図１７及び図１８は、それぞれ本実施形態における一斉通信の動作概念図並びに動作シーケンス図である。図１７（ａ）並びに図１８に示すように、中央制御装置１は、固定無線基地局１０1 …を介し一斉通信用通話チャネルｃｈ０を通して複数の無線携帯端末２０2 …に一斉通信を行っている際に、例えば固定無線基地局１０1 に対して着信（着呼）メッセージの報知要求を行っている。これによって固定無線基地局１０1からは着信（着呼）メッセージがサービスエリア内に常時送信されている。
【００３６】
いま、固定無線基地局１０1 のサービスエリア内に別の無線携帯端末２０1 が入ってきたと仮定する。固定無線基地局１０1 …のサービスエリア内に入った無線携帯端末２０1 …が上記着信メッセージを受信すると自動的にオフフックがされるとともに通常の通話チャネル確立シーケンスが起動される。そして、通常の通話チャネル確立シーケンスに従った処理が実行され、固定無線基地局１０1 を介して中央制御装置１により無線携帯端末２０1 に空き通話チャネルｃｈが割り当てられ、無線携帯端末２０1 が通話チャネルｃｈを獲得する。さらに、通話路接続処理によって通話チャネルｃｈに無線携帯端末２０1 が接続されると（図１７（ｂ）参照）、中央制御装置１が電波状況に応じて一斉通信に適切な通話チャネルを決定し、無線携帯端末２０1 に対して通話チャネルｃｈから一斉通信用通話チャネルｃｈ０に切り換える処理を行う。
【００３７】
その結果、無線携帯端末２０1 は通話チャネルｃｈ（ダミーの通話チャネル）から電波状況に応じた適切な一斉通信用通話チャネルｃｈ０に切り換えて接続される。ここで、中央制御装置１は、固定無線基地局１０1 を介して無線携帯端末２０1 が一斉通信用通話チャネルｃｈ０に接続されたことを認識する。そして、図１７（ｃ）に示すように、無線携帯端末２０1 において固定無線基地局１０1 を介し、一斉通信用通話チャネルｃｈ０を通して中央制御装置１から送信されている音声メッセージやガイダンスあるいはデータ等の一斉通信が受信される。
【００３８】
上述のように本実施形態によれば、中央制御装置１が無線携帯端末２０1 …に対して一旦ダミーの通話チャネルｃｈを割り当てた後、電波状況に応じた適切な一斉通信用通話チャネルｃｈ０を割り当て直すことにより、無線携帯端末２０1…を一斉通信用通話チャネルｃｈ０に接続するので、各無線携帯端末２０1 …が通常の通話チャネル確立シーケンスと全く同じ手順で一斉通信用通話チャネルｃｈ０を獲得でき、特殊性のない一般的なシーケンスを用いて容易に音声やデータ等の一斉通信が可能となる。
【００３９】
【発明の効果】
請求項１の発明は、複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、中央制御装置は、固定無線基地局において所定のデータが受信されたことを認識した際に、所定のデータを送信した無線携帯端末を一斉通信用通話チャネルに接続し、この無線携帯端末から送信されるデータや音声を一斉通信用通話チャネルを通して一斉通信し、無線携帯端末は、固定無線基地局を介して中央制御装置に特定のデータを送信することにより一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成るので、１つの一斉通信用通話チャネルを通して一斉通信を行うことで、電波資源を最大限に活用した上で複数の無線携帯端末に対して音声やデータ等の一斉通信が容易に可能となり、特に一つの固定無線基地局が有する通話チャネル数以上の無線携帯端末に対しても一斉通信が可能になり、また、複数の無線携帯端末の何れもが一斉通信の発信元（音声源）となり得るから、例えば、災害時等に複数の無線携帯端末に対する音声やデータ等の一斉通信が可能となり、さらに、無線携帯端末を携帯する人の意志で、音声やデータ等の一斉通信を受けることができ、しかも、各無線携帯端末が通常の通話チャネル確立シーケンスと全く同じ手順で一斉通信用通話チャネルを獲得できるため、特殊性のない一般的なシーケンスを用いて容易に音声やデータ等の一斉通信が可能となるという効果がある。
【００４０】
請求項２の発明は、複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、中央制御装置は、固定無線基地局において所定のデータが受信されたことを認識した際に、所定のデータを送信した無線携帯端末を一斉通信用通話チャネルに接続し、この無線携帯端末から送信されるデータや音声を一斉通信用通話チャネルを通して一斉通信し、一斉通信を行う固定無線基地局を特定する一斉通信用ＣＳＩＤ及び一斉通信用通話チャネルが予め無線携帯端末に設定され、無線携帯端末が固定無線基地局から少なくとも一斉通信用ＣＳＩＤを含む信号を受信したときに一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成るので、１つの一斉通信用通話チャネルを通して一斉通信を行うことで、電波資源を最大限に活用した上で複数の無線携帯端末に対して音声やデータ等の一斉通信が容易に可能となり、特に一つの固定無線基地局が有する通話チャネル数以上の無線携帯端末に対しても一斉通信が可能になり、また、複数の無線携帯端末の何れもが一斉通信の発信元（音声源）となり得るから、例えば、災害時等に複数の無線携帯端末に対する音声やデータ等の一斉通信が可能となり、さらに、無線携帯端末を携帯する人が一斉通信を行う固定無線基地局のサービスエリア内に入ったら、自動的に音声メッセージやガイダンス等の一斉通信を受信することができ、しかも、各無線携帯端末が通常の通話チャネル確立シーケンスと全く同じ手順で一斉通信用通話チャネルを獲得できるため、特殊性のない一般的なシーケンスを用いて容易に音声やデータ等の一斉通信が可能となるという効果がある。
【００４１】
請求項３の発明は、複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、中央制御装置は、固定無線基地局において所定のデータが受信されたことを認識した際に、所定のデータを送信した無線携帯端末を一斉通信用通話チャネルに接続し、この無線携帯端末から送信されるデータや音声を一斉通信用通話チャネルを通して一斉通信し、中央制御装置から固定無線基地局を介して常に着信メッセージを報知しておき、この着信メッセージを受信した無線携帯端末が一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成るので、１つの一斉通信用通話チャネルを通して一斉通信を行うことで、電波資源を最大限に活用した上で複数の無線携帯端末に対して音声やデータ等の一斉通信が容易に可能となり、特に一つの固定無線基地局が有する通話チャネル数以上の無線携帯端末に対しても一斉通信が可能であり、また、複数の無線携帯端末の何れもが一斉通信の発信元（音声源）となり得るから、例えば、災害時等に複数の無線携帯端末に対する音声やデータ等の一斉通信が可能となり、さらに、無線携帯端末を携帯する人が一斉通信を行う固定無線基地局のサービスエリア内に入ったら、自動的に音声メッセージやガイダンス等の一斉通信を受信することができ、しかも、各無線携帯端末が通常の通話チャネル確立シーケンスと全く同じ手順で一斉通信用通話チャネルを獲得できるため、特殊性のない一般的なシーケンスを用いて容易に音声やデータ等の一斉通信が可能となるという効果がある。
【００４２】
請求項４の発明は、複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、予め定められる一斉通信用通話チャネルに常時アナウンスを繰り返し流し、無線携帯端末は、固定無線基地局を介して中央制御装置に特定のデータを送信することにより一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成るので、１つの一斉通信用通話チャネルを通して一斉通信を行うことで、電波資源を最大限に活用した上で複数の無線携帯端末に対して音声やデータ等の一斉通信が容易に可能となり、特に一つの固定無線基地局が有する通話チャネル数以上の無線携帯端末に対しても一斉通信が可能であり、また、例えば、中央制御装置が保持する音声やデータ等をアナウンスとして流すことにより、中央制御装置を一斉通信の発信元（音声源）とすることができ、音声メッセージやガイダンス等を複数の無線携帯端末に一斉に伝えることができ、さらに、無線携帯端末を携帯する人の意志で、音声やデータ等の一斉通信を受けることができ、しかも、各無線携帯端末が通常の通話チャネル確立シーケンスと全く同じ手順で一斉通信用通話チャネルを獲得できるため、特殊性のない一般的なシーケンスを用いて容易に音声やデータ等の一斉通信が可能となるという効果がある。
請求項５の発明は、複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、予め定められる一斉通信用通話チャネルに常時アナウンスを繰り返し流し、一斉通信を行う固定無線基地局を特定する一斉通信用ＣＳＩＤ及び一斉通信用通話チャネルが予め無線携帯端末に設定され、無線携帯端末が固定無線基地局から少なくとも一斉通信用ＣＳＩＤを含む信号を受信したときに一斉通信用通話チャネルを獲得して成るディジタル無線通信システムであって、中央制御装置は、無線携帯端末に対して一旦ダミーの通話チャネルを割り当てた後、電波状況に応じた適切な一斉通信用通話チャネルを割り当て直すことにより、無線携帯端末を一斉通信用通話チャネルに接続して成るので、１つの一斉通信用通話チャネルを通して一斉通信を行うことで、電波資源を最大限に活用した上で複数の無線携帯端末に対して音声やデータ等の一斉通信が容易に可能となり、特に一つの固定無線基地局が有する通話チャネル数以上の無線携帯端末に対しても一斉通信が可能であり、また、例えば、中央制御装置が保持する音声やデータ等をアナウンスとして流すことにより、中央制御装置を一斉通信の発信元（音声源）とすることができ、音声メッセージやガイダンス等を複数の無線携帯端末に一斉に伝えることができ、さらに、無線携帯端末を携帯する人が一斉通信を行う固定無線基地局のサービスエリア内に入ったら、自動的に音声メッセージやガイダンス等の一斉通信を受信することができ、しかも、各無線携帯端末が通常の通話チャネル確立シーケンスと全く同じ手順で一斉通信用通話チャネルを獲得できるため、特殊性のない一般的なシーケンスを用いて容易に音声やデータ等の一斉通信が可能となるという効果がある。
【００４３】
請求項６の発明は、複数の通話チャネルを有し適所に配置される１乃至複数の固定無線基地局と、通話チャネルに接続されて固定無線基地局との間で無線通信を行う複数の無線携帯端末と、少なくとも各固定無線基地局を介して各無線携帯端末に対するデータや音声の送受信制御を行う中央制御装置とを備え、複数の無線携帯端末に対して同一内容の通信を行う場合に、各無線携帯端末が同一の一斉通信用通話チャネルに接続され、予め定められる一斉通信用通話チャネルに常時アナウンスを繰り返し流し、中央制御装置から固定無線基地局を介して常に着信メッセージを報知しておき、この着信メッセージを受信した無線携帯端末が一斉通信用通話チャネルを獲得して成るので、１つの一斉通信用通話チャネルを通して一斉通信を行うことで、電波資源を最大限に活用した上で複数の無線携帯端末に対して音声やデータ等の一斉通信が容易に可能となり、特に一つの固定無線基地局が有する通話チャネル数以上の無線携帯端末に対しても一斉通信が可能であり、また、例えば、中央制御装置が保持する音声やデータ等をアナウンスとして流すことにより、中央制御装置を一斉通信の発信元（音声源）とすることができ、音声メッセージやガイダンス等を複数の無線携帯端末に一斉に伝えることができ、さらに、無線携帯端末を携帯する人が一斉通信を行う固定無線基地局のサービスエリア内に入ったら、自動的に音声メッセージやガイダンス等の一斉通信を受信することができ、しかも、各無線携帯端末が通常の通話チャネル確立シーケンスと全く同じ手順で一斉通信用通話チャネルを獲得できるため、特殊性のない一般的なシーケンスを用いて容易に音声やデータ等の一斉通信が可能となるという効果がある。
【図面の簡単な説明】
【図１】  本発明の基本例１の動作概念図である。
【図２】  各実施形態のシステム構成図である。
【図３】  同上の動作シーケンスを示す図である。
【図４】  基本例２の動作概念図である。
【図５】  同上の動作シーケンスを示す図である。
【図６】  基本例３の動作概念図である。
【図７】  同上の動作シーケンスを示す図である。
【図８】  基本例４の動作概念図である。
【図９】  同上の動作シーケンスを示す図である。
【図１０】  基本例５の動作概念図である。
【図１１】  同上の動作シーケンスを示す図である。
【図１２】  同上の動作シーケンスを示す図である。
【図１３】  基本例６の動作概念図である。
【図１４】  同上の動作シーケンスを示す図である。
【図１５】  基本例７の動作概念図である。
【図１６】  同上の動作シーケンスを示す図である。
【図１７】  基本例８の動作概念図である。
【図１８】  同上の動作シーケンスを示す図である。
【図１９】  従来例の動作概念図である。
【図２０】  同上の動作シーケンスを示す図である。
【符号の説明】
１  中央制御装置
１０  固定無線基地局
２０  無線携帯端末
ｃｈ０  一斉通信用通話チャネル
【図１】
0003837825.tif 000002
【図２】
0003837825.tif 000003
【図３】
0003837825.tif 000004
【図４】
0003837825.tif 000005
【図５】
0003837825.tif 000006
【図６】
0003837825.tif 000007
【図７】
0003837825.tif 000008
【図８】
0003837825.tif 000009
【図９】
0003837825.tif 000010
【図１０】
0003837825.tif 000011
【図１１】
0003837825.tif 000012
【図１２】
0003837825.tif 000013
【図１３】
0003837825.tif 000014
【図１４】
0003837825.tif 000015
【図１５】
0003837825.tif 000016
【図１６】
0003837825.tif 000017
【図１７】
0003837825.tif 000018
【図１８】
0003837825.tif 000019
【図１９】
0003837825.tif 000020
【図２０】
0003837825.tif 000021